(57)【特許請求の範囲】
【請求項１】
少なくとも身頃部および袖部を備え、敏感肌に好適な肌着であって、
前記身頃部は前身頃と後身頃とが１枚の伸縮性編地であって胴部を覆う筒状編地で構成され、
前記前身頃と前記後身頃とが肩部において接着剤により貼り合わせられ、
前記袖部と前記身頃部とがアームホールにおいて接着剤により貼り合わせられ、
前記袖部は１枚の伸縮性編地で構成され、前記１枚の伸縮性編地が肘を含む腕部を覆う筒状になるように袖部接合部において接着剤により貼り合わせられ、筒状の袖部において前記袖部接合部が前記筒状の断面における上半分側に存在し、
前記前身頃と前記後身頃とが貼り合わせられて形成された肩部接合部と、前記袖部接合部とが身頃前後方向にずれていることを特徴とする肌着。
【請求項２】
着用時における前記筒状の断面形状を略円形とした場合において、前記身頃部の脇線を前記袖部に投影した脇対応線を前記略円形の最下点とし前記略円形の中心を基準として、前記袖部の全長に亘って前記袖部接合部が前記前身頃側へ６０°以内および前記後身頃側へ６０°以内に存在することを特徴とする、請求項１に記載の肌着。
【請求項３】
前記肩部接合部よりも前記袖部接合部が身頃後方向にずれていることを特徴とする、請求項１または請求項２に記載の肌着。
【発明の詳細な説明】
【技術分野】
【０００１】
本発明は、アレルギー体質肌（代表的には皮膚の炎症（湿疹など）を伴う過敏症の一種であるアトピー性皮膚炎）を含む敏感肌の人が着用した場合であっても、肌に不快感を与えず症状の悪化が起こりにくく安全に使用することができる肌着に関し、特に、物理的刺激が少なく快適性に優れた、敏感肌に好適な肌着に関する。
【背景技術】
【０００２】
一般的に肌が弱い等の敏感肌の顕著な例として、アトピー性皮膚炎が挙げられる。近年、このアトピー性皮膚炎患者の増加が顕著であり社会現象となってきている。このようなアトピー性皮膚炎の発症機序には明らかにされていない部分が多く、治療方法はいまだ確立されていない。
アトピー性皮膚炎のような疾患がある場合、皮膚は非常に敏感な状態であるため、肌に直接に長時間接触する肌着の安全性は極めて重要となる。特に、アトピー性皮膚炎における掻痒は著しく、掻けば症状が悪化し、さらに掻痒が増大するという悪循環を招くことから、アトピー性皮膚炎患者が着用する肌着としては皮膚への負担の少ないもの（肌に対する摩擦が少ないもの）が必要とされる。
【０００３】
一般的には、アトピー性皮膚炎患者は綿製の肌着を着用するのが主流であるが、綿製の肌着は、長時間の着用によっては肌着における縫い合わせ線が肌との間で発生する摩擦により皮膚を刺激して痒みの増大や患部の拡大等の症状悪化を招く傾向が見られた。特に、乳幼児は皮膚が敏感であることから、この傾向が顕著であった。
このような問題に対して、特開２００５−０８９８７６号公報（特許文献１）は、アトピー性皮膚炎患者にもやさしい肌接触着を開示する。この肌接触着は、前身頃部材、後身頃部材、袖部材を有する肌接触着であって、前身頃部材と後身頃部材との縫い合わせ線が肌接触着の脇線とずれるように後身頃部材の幅方向の長さと前身頃部材の幅方向の長さとは異なっており、前身頃部材と後身頃部材との縫い合わせ線において各部材の端部がいずれも露出しないように内部に折り返されて袋縫いされており、さらに、前身頃部材と後身頃部材との縫い合わせ線と、袖部の縫い合わせ線とが、前身頃部材および後身頃部材のアームホール線上で交差しないように、袖部縫い合わせ部は肌接触着の袖下線とずれて縫製されており、袖部の縫い合わせ線において各部材の端部がいずれも露出しないように内部に折り返されて袋縫いされていることを特徴とする。
【０００４】
この肌接触着によると、オーバロック処理が不要となり、肌への刺激を防止することができるとともに、前身頃部材と後身頃部材との縫い合わせ線が肌接触着の脇線とずれているので、摩擦の多い被着者の脇線における肌の刺激を減少することができる。さらに、前身頃部材と後身頃部材との縫い合わせ線が肌接触着の脇線とずれており、かつ、前身頃部材と後身頃部材との縫い合わせ線と、袖部の縫い合わせ線とが、前身頃部材および後身頃部材のアームホール線上で交差しないように、袖部縫い合わせ部は肌接触着の袖下線とずれていることにより、合わせしろの重なりによる肌への刺激を防止することができる。その結果、肌への刺激をできる限り押さえた肌接触着を提供することができる。
【先行技術文献】
【特許文献】
【０００５】
【特許文献１】特開２００５−０８９８７６号公報
【発明の概要】
【発明が解決しようとする課題】
【０００６】
しかしながら、特許文献１に開示された肌接触着は、以下の２点で、アトピー性皮膚炎に代表される敏感肌に好適であるとは言えない。
・第１の問題点：特許文献１に開示された肌接触着では、前身頃部材と後身頃部材との縫い合わせ線が肌接触着の脇線とずれており、その縫い合わせ線が袋縫いされているために、摩擦の多い被着者の脇線における肌の刺激を減少することができるとしても、前身頃部材と後身頃部材との縫い合わせ線が存在する以上、その縫い合わせ線による肌の刺激を
なくすることができないことにより、この肌接触着は敏感肌に好適であるとは言えない。
【０００７】
・第２の問題点：前身頃部材と後身頃部材との縫い合わせ線と、袖部の縫い合わせ線とが、前身頃部材および後身頃部材のアームホール線上で交差しないように、袖部縫い合わせ部は肌接触着の袖下線とずれているために、合わせしろの重なりによる肌への刺激を防止することができるとしても、本願出願人による鋭意研究の結果として明らかになった、発汗時に摩擦が大きくなる前腕および／または上腕の屈部（伸部の反対側）に、袖部の縫い合わせ線が存在する以上、発汗時に摩擦が大きくなった部位をその縫い合わせ線が刺激することにより、この肌接触着は敏感肌に好適であるとは言えない。
【０００８】
本発明は、上述した問題点に鑑みて開発されたもので、その目的とするところは、少なくとも身頃部および袖部を備えた肌着であって、アトピー性皮膚炎に代表される敏感肌に好適な肌着を提供することにある。なお、本発明は、アトピー性皮膚炎に限定した好適な肌着ではなく、アトピー性皮膚炎を含む（疾病ではない）敏感肌に好適な肌着である。
【課題を解決するための手段】
【０００９】
上記目的を達成するため、本発明の肌着は以下の技術的手段を講じている。
すなわち、本発明の肌着は、少なくとも身頃部および袖部を備え、敏感肌に好適な肌着であって、前記身頃部は前身頃と後身頃とが１枚の伸縮性編地であって胴部を覆う筒状編地で構成され、前記前身頃と前記後身頃とが肩部において接着剤により貼り合わせられ、前記袖部と前記身頃部とがアームホールにおいて接着剤により貼り合わせられ、前記袖部は１枚の伸縮性編地で構成され、前記１枚の伸縮性編地が肘を含む腕部を覆う筒状になるように袖部接合部において接着剤により貼り合わせられ、筒状の袖部において前記袖部接合部が前記筒状の断面における上半分側に存在することを特徴とする。
【００１０】
好ましくは、着用時における前記筒状の断面形状を略円形とした場合において、前記身頃部の脇線を前記袖部に投影した脇対応線を前記略円形の最下点とし前記略円形の中心を基準として、前記袖部の全長に亘って前記袖部接合部が前記前身頃側へ６０°以内および前記後身頃側へ６０°以内に存在するように構成することができる。
さらに好ましくは、前記前身頃と前記後身頃とが貼り合わせられて形成された肩部接合部と、前記袖部接合部とが身頃前後方向にずれているように構成することができる。
【００１１】
さらに好ましくは、前記肩部接合部よりも前記袖部接合部が身頃後方向にずれるように構成することができる。
【発明の効果】
【００１２】
本発明によれば、少なくとも身頃部および袖部を備えた肌着であって、アトピー性皮膚炎に代表される敏感肌に好適な肌着を提供することができる。
【図面の簡単な説明】
【００１３】
【図１】本発明の実施の形態に係る肌着の一例であるアンダーシャツの正面図である。
【図２】図１のアンダーシャツの背面図である。
【図３】図１および図２の拡大図である。
【図４】着用状態を示す上面図である。
【図５】図４の矢示Ｘ方向から見た着用状態を示す斜視図である。
【図６】（Ａ）は図１のアンダーシャツの斜視図であって、（Ｂ）は従来のアンダーシャツの斜視図である。
【図７】（Ａ）は図１のアンダーシャツの袖部の型紙を示す平面図であって、（Ｂ）は従来のアンダーシャツの袖部の型紙を示す平面図である。
【図８】（Ａ）は図７（Ａ）の拡大図であって、（Ｂ）は着用時における袖部の断面形状を示す図である。
【図９】（Ａ）は図１のアンダーシャツの斜視図および着用時における袖部の断面形状を示す図であって、（Ｂ）は本発明の変形例に係るアンダーシャツの斜視図および着用時における袖部の断面形状を示す図である。
【発明を実施するための形態】
【００１４】
以下、本発明の実施の形態に係る肌着の一例であるアンダーシャツ１０について図面を
参照して説明する。このアンダーシャツ１０は、アトピー性皮膚炎に代表される敏感肌に好適な肌着であって、通常、アウターの衣服（たとえば薄手のニット）の下に着用するアンダーシャツであって、敏感肌に好適なアンダーシャツである。このアンダーシャツ１０は、左右の袖部１２（右袖部１２Ｒおよび左袖部１２Ｌ）が少なくとも肘を含む腕部を覆う筒状で形成されている。本発明に係る肌着は、このように少なくとも肘を含む腕部を覆う筒状の袖部を備える肌着である。すなわち、本発明に係る肌着は、少なくとも袖部を備え（ランニングシャツ、タンプトップ、キャミソール等の袖のない肌着を除き）、さらにその袖部は肘を含む腕を覆う（半袖シャツを除き、７分袖、９分袖等の肘より先を覆う袖を備えた長袖シャツを含む）肌着である。
【００１５】
［全体構成］
図１に本実施の形態に係るアンダーシャツ１０の正面図を、図２にアンダーシャツ１０の背面図を、図３の紙面左側に図１の拡大図を、図３の紙面右側に図２の拡大図を、図４にアンダーシャツ１０の着用状態を示す上面図を、図５に図４の矢示Ｘ方向から見たアンダーシャツ１０の着用状態を示す斜視図を、それぞれ示す。
【００１６】
これらの図に示すように、このアンダーシャツ１０は、少なくとも身頃部１１および袖部１２を備え、敏感肌に好適な肌着であって、身頃部１１は前身頃１１Ｆと後身頃１１Ｂとが１枚の伸縮性編地であって胴部を覆う筒状編地で構成され、前身頃１１Ｆと後身頃１１Ｂとが肩部接合部１１２において接着剤により貼り合わせられ、袖部１２と身頃部１１とがアームホール接合部１１０において接着剤により貼り合わせられ、左右の袖部１２（右袖部１２Ｒおよび左袖部１２Ｌ）は１枚の伸縮性編地で構成され、この１枚の伸縮性編地が肘を含む腕部を覆う筒状になるように袖部接合部１１４において接着剤により貼り合わせられている。そして、特徴的であるのは、筒状の袖部１２において袖部接合部１１４が筒状の断面における上半分側に存在することである。このような特徴的な構成の詳細については後述する。
【００１７】
このアンダーシャツ１０は、縫製による縫着部を一切備えず、別々に編成された各部位（身頃部１１および袖部１２）は、フィルム状またはリキッド状の接着剤（たとえばこのような状態のポリウレタンなどの熱可塑性樹脂）を介在させることによる接着または接合による貼り合わせ構造により接着されている。
身頃部１１の上側であって着用者の首部に対応する部分には、開口部としてＵ字形状に剔られた衿部が形成されている。より詳しくは、前身頃１１Ｆの上側であって着用者の首部に対応する部分には、開口部として深いＵ字形状に剔られた前衿部が、後身頃１１Ｂの上側であって着用者の首部に対応する部分には、開口部として浅いＵ字形状に剔られた後衿部が、それぞれ形成されている。身頃部１１の下側であって着用者のウエスト部に対応する部分には、開口部として身頃下端部が形成され、袖部１２の端部であって着用者の手首部に対応する部分には、開口部として手先を出すための袖口部が形成されている。これらの開口部における生地端は、周縁を切りっぱなし仕様とされた生地（周縁処理が不要な伸縮性編地）で構成されている。以下にこの生地について説明する。
【００１８】
これらの身頃部１１および袖部１２は、伸縮性編地の周縁を切りっぱなし仕様（状態）のままで使用するために、熱融着性繊維（たとえば、ポリウレタン繊維等の比較的に低融点の熱融着性繊維が好ましい）とこの繊維よりも高融点の他の繊維（例えば、綿、ポリエステル、ナイロン、ポリエチレン、キュプラ等の熱融着性繊維よりも高融点の繊維が好ましい）とを含み、予め、熱融着性繊維の融点以上で他の繊維の融点以下の温度で熱セットされて解れ止め処理されるのが好ましい。このように、解れないように周囲が周縁処理（パイピング処理）されていないために、アンダーシャツ１０の周縁が肌に直接触れても、大きな摩擦が発生しないので、敏感肌における痒みの増大や患部の拡大等の症状悪化を抑制することができる。
【００１９】
さらに、このアンダーシャツ１０の生地が切りっぱなし仕様のままで使用される場合について、以下に具体的に説明する。この生地には、綿やレーヨンなどの保水性の高い糸とポリウレタン（熱融着性繊維）により編成された緯編地などが使用可能である。
より好ましくは、このアンダーシャツ１０の生地は、熱融着性または熱溶着性ポリウレ
タンのベア繊維糸と他の糸（綿とレーヨンとの混紡糸、綿の紡績糸、または、レーヨンの紡績糸）とをプレーティング編みにより、ポリウレタンのベア繊維糸が肌側に露出しないように編成して、編成後、熱セットによりポリウレタンのベア繊維糸を溶着させてフリーカットに適合した緯編地を採用することができる。
【００２０】
ここで、このアンダーシャツ１０に採用される生地の組成は、汗を吸着しやすく吸放湿特性に優れるレーヨンを０％〜９７％（好ましくは３０％〜７０％、特に好ましくは４５％〜５５％）、天然素材で洗濯耐久性に優れる綿を０％〜９７％（好ましくは３０％〜７０％、特に好ましくは３５％〜４５％）、ポリウレタンを３％〜２０％（特に好ましくは５％〜１０％）であること（ただし３つの合計は１００％を超えない）が好ましく、レーヨンを５０％程度、綿を４１％程度、ポリウレタンを９％程度であることがさらに特に好ましい。
【００２１】
このような組成の緯編の生地を用いることにより、アンダーシャツ１０の周縁を切りっぱなし状態のままで使用することができるので、周縁処理がなくても周縁が解れることがなく、また、嵩張らず、ソフトで柔軟性に富み、周縁が切りっぱなし状態であってパイピング処理されていないために肌に直接触れても大きな摩擦が発生せず敏感肌における痒みの増大や患部の拡大等の症状悪化を抑制することができ、着心地が良く快適性に優れたものとなる。
【００２２】
なお、このアンダーシャツ１０の生地の伸縮方向の詳細、および、接着剤を用いた貼り合わせ構造の詳細については、一例として、本願と同じ出願人による特許出願に係る特開２０１４−１９６５８７号公報に開示されたアンダーシャツの構成を採用することができる。ここで、特開２０１４−１９６５８７号公報には貼り合わせ構造をジグザグ状、カーブ状、ドット状等にすることにより生地の伸縮性が阻害されないことが開示されている。このような貼り合わせ構造により生地の伸縮性が阻害されないと、肘の屈伸時（腕の曲げ伸ばし時）において、その肘の屈伸の動きに合わせて生地が容易に伸縮できて肌と生地とが離隔することなく肌の動きに生地が追従するので肌と生地との間に大きな摩擦（たとえば袖が捲り上がるなど）が発生しないため、敏感肌に対してより好ましいことが本願出願人による鋭意研究の結果として明らかになった。
【００２３】
生地の伸縮性を阻害することなく充分な接着強度を得るためには、袖部接合部１１４における２枚の重なった部分の面積に対する接着剤の塗布面積の比率は、４０％〜８０％であることが好ましく、５０％〜７０％であることが特に好ましい。また、袖部接合部１１４の好ましい幅は２ｍｍ〜１５ｍｍであり、４ｍｍ〜１０ｍｍが特に好ましい。
さらに、このアンダーシャツ１０の生地については、アトピー性皮膚炎患者が化学物質を含む合成洗剤を用いて洗濯を行った繊維製品を着用した場合に繊維製品に残留した化学物質に敏感に反応して症状悪化を抑制するために、一例として、本願と同じ出願人による特許出願に係る特開２００７−２５４９１０号公報に開示された残留洗剤低減繊維製品の構成、本願と同じ出願人による特許出願に係る特許第４８６１７００号公報に開示された無洗剤洗濯機能の付与方法、または、本願と同じ出願人による特許出願に係る特許第３３８５３９９号公報に開示されたセルロース系繊維の着用黄変抑制機能の付与方法を採用することができる。ここで、特許第３３８５３９９号公報にはセルロース系繊維の着用黄変抑制機能の付与方法における好適なセルロース系繊維のカルボキシメチル化度として０．１モル％〜１０モル％が開示されている。本実施の形態に係るアンダーシャツ１０に採用される生地の組成（レーヨン、綿、ポリウレタン）に対するカルボキシメチル化度としては、この範囲内（０．１モル％〜１０モル％）であることが好ましいことに加えて、特に好適には０．５モル％〜５モル％、さらに特に好適には１モル％〜３モル％であることが本願出願人による鋭意研究の結果として明らかになった。
【００２４】
このように構成されたアンダーシャツ１０は、縫製部分がないので縫い目が肌に当たり擦れることもなく（特に、袖部開口部および首部開口部にテープがないので袖首テープが肌に当たり擦れることがなく）、表面摩擦が低減するので肌に滑らかで柔かく快適性に優れており、耐久柔軟性に優れているので洗濯しても柔らかい風合いが持続し、洗剤除去性もよく化学的に低刺激で、吸放湿性に優れるので蒸れにくく、汗を吸いやすいので良好な
汗処理を実現することができる。このような特徴に加えて、このアンダーシャツ１０は以下に示す特徴的な構成をさらに備える。
【００２５】
［特徴的な構成］
以下、本実施の形態に係るアンダーシャツ１０のさらに特徴的な構成について、図６〜図９を参照して説明する。ここで、図６（Ａ）はこのアンダーシャツ１０の斜視図であって、図６（Ｂ）は比較のための従来のアンダーシャツ２０の斜視図であって、図７（Ａ）はアンダーシャツ１０の袖部１２の型紙を示す平面図であって、図７（Ｂ）はアンダーシャツ２０の袖部２２の型紙を示す平面図であって、図８（Ａ）は図７（Ａ）の拡大図であって、図８（Ｂ）は着用時における袖部１２の断面形状を示す図である。
【００２６】
これらの図に示すように、このアンダーシャツ１０のさらに特徴的な構成とは、筒状の袖部１２において袖部接合部１１４が筒状の断面における上半分側に存在することである。まず、以下において、このような構成とする理由について説明する。なお、「筒状の袖部１２において袖部接合部１１４が筒状の断面における上半分側に存在する」とは、「図６（Ａ）に示すようにこのアンダーシャツ１０を着用して肘を伸ばした腕を身体の側方であって斜め下方とした場合に袖部接合部１１４が筒状の断面における上半分側に存在する」ことを意味するものである。
【００２７】
敏感肌にアンダーシャツ１０が直接触れても大きな摩擦（これに起因する大きな刺激）が発生しない場合には（たとえば上述のように無縫製とした場合には）敏感肌における痒みの増大や患部の拡大等の症状悪化を抑制することができる。このような敏感肌とアンダーシャツとの摩擦について、本願出願人は腕（肘を境にして肩に近い方の上腕および手に近い方の前腕）の屈側および伸側における汗腺密度の違いと摩擦の大小との関係に着目して鋭意研究を進めた。
【００２８】
まず、上腕および前腕の汗腺密度は伸側よりも屈側の方が少ないにもかかわらず、上腕および前腕の発汗量については伸側と屈側との間に大きな差異がない。このため、ひとつの汗腺から出される汗（水滴）の大きさが伸側よりも屈側の方が大きくなる（分泌量が多くなる）。水滴の大きさが大きくなると蒸発しにくくなり、分泌量が多くなるほどミネラルの再吸収が追いつかないで塩分濃度が高い汗が分泌されることになる。このために、発汗時の上腕および前腕においては、伸側よりも屈側がべとべとした感じになり、摩擦抵抗が大きくなると考えられる。そして、図６（Ｂ）および図７（Ｂ）に示す従来のアンダーシャツ２０のように筒状の袖部２２において袖部接合部２１４が筒状の断面における上半分側（伸側）に存在しないで下側（屈側）に存在すると、発汗時に摩擦が大きくなる前腕および／または上腕の屈部（伸部の反対側）に、袖部２２の袖部接合部２１４が存在するために発汗時に摩擦が大きくなった部位をその袖部接合部２１４が刺激することにより、肌における痒みの増大や患部の拡大等の症状悪化を抑制することができない。
【００２９】
それに対して、アンダーシャツ１０は、図６（Ａ）および図７（Ａ）に示すように、筒状の袖部１２において袖部接合部１１４が筒状の断面における上半分側に存在する。さらに詳しくは、図８（Ｂ）に示すように、着用時において袖部２２における筒状の断面形状を略円形とした場合において、身頃部の脇線１１Ｓを袖部１２に投影した脇対応線１２Ｓを略円形の最下点とし略円形の中心を基準として、袖部１２の全長に亘って袖部接合部１１４が上半分側（前身頃側へ９０°以内および後身頃側へ９０°以内）に存在し、好ましくは前身頃側へ６０°以内および後身頃側へ６０°以内に存在する。そして、上述した理由に基づいて、袖部１２の全長に亘って袖部接合部１１４が前身頃側へ４５°以内および後身頃側へ４５°以内に存在することがさらに特に好ましい。すなわち、人間の肘において伸側より汗腺密度が低いにもかかわらず同等の発汗量であるために発汗時に摩擦抵抗が増大する屈側に袖部接合部１１４が確実に存在しないためには、袖部１２の全長に亘って袖部接合部１１４が前身頃側へ４５°以内および後身頃側へ４５°以内に存在することがさらに特に好ましい。なお、身頃部の脇線１１Ｓについては、身頃部１１は前身頃１１Ｆと後身頃１１Ｂとが筒状で一体となっているので接合線（縫着線）としての脇線は存在しないために、身頃部１１においてアームホールの最下点から鉛直下方へ伸ばした直線を脇線１１Ｓとしている。
【００３０】
このようなアンダーシャツ１０の袖部１２および比較例としての従来のアンダーシャツ２０の袖部２２について、型紙の差異を図７（Ａ）および図７（Ｂ）を参照して説明する。
従来のアンダーシャツ２０の袖部２２の型紙は図７（Ｂ）に示す形状を備え、このような型紙に合わせて裁断された生地が腕を包むように筒状に縫製され、図６（Ｂ）に示すようにアームホールで縫合される。これらの図に示すように、袖山曲線の最高部である袖山点と袖口線とを結ぶ袖山線２２Ｓが筒状の袖部２２において筒状の断面における上側に存在し、袖部接合部２１４が筒状の断面における下側（屈側）に存在することになる。
【００３１】
一方、本実施の形態に係るアンダーシャツ１０の袖部１２の型紙は図７（Ａ）に示す形状を備え、このような型紙に合わせて裁断された生地が腕を包むように筒状に接着され、図６（Ａ）に示すようにアームホールで接合される。これらの図および図８（Ａ）に示すように、袖谷曲線１２Ｃ（従来の型紙における袖山曲線に対応、対応元は以下同じ）の最低部である袖谷点１２Ｄ（袖山点に対応）と袖口線１２Ｅとを結ぶ袖谷線（袖山線に対応し脇対応線１２Ｓに合致）が筒状の袖部１２において筒状の断面における下側に存在し、袖部接合部１１４が筒状の断面における上半分側（上半分側とは袖部１２の全長に亘って袖部接合部１１４が前身頃側へ９０°以内および後身頃側へ９０°以内であって、特に好ましくは袖部１２の全長に亘って袖部接合部１１４が前身頃側へ６０°以内および後身頃側へ６０°以内）に存在する（袖部接合部１１４が少なくとも筒状の下側（屈側）に存在しない）ことになる。なお、図８（Ａ）において、袖部接合部１１４は前袖上線（前袖下線に対応）１２Ｆと後袖上線（後袖下線に対応）１２Ｂとが接着されることにより形成されており、図８（Ｂ）において紙面左側がアンダーシャツ１０の前側（腹側）であって、袖部接合部１１４は背中側へ回り込んでいるものの（肩部接合部１１０よりも袖部接合部１１４が身頃後方向（後身頃１０Ｂ側）にずれているものの）後身頃側へ６０°以内を満足している。
【００３２】
なお、このアンダーシャツ１０においては、前身頃１０Ｆと後身頃１０Ｂとが貼り合わせられて形成された肩部接合部１１０と、袖部接合部１１４とが身頃前後方向にずれている。さらに、肩部接合部１１０よりも袖部接合部１１４が身頃後方向（後身頃１０Ｂ側）にずれている。
このように、アンダーシャツ１０の筒状の袖部１２において袖部接合部１１４が筒状の断面における上半分側に存在する特徴については、袖部接合部１１４が直線であっても曲線であっても、備える。このことについて図９を参照して説明する。
【００３３】
図９（Ａ）はアンダーシャツ１０の斜視図および着用時における袖部の断面形状を示す図であって、図９（Ｂ）は本発明の変形例に係るアンダーシャツ１０の斜視図および着用時における袖部の断面形状を示す図である。
図９（Ａ）に示すアンダーシャツ１０は上述したように袖部接合部１１４が直線の構成を備え、袖部１２の全長に亘って、図９（Ａ）のＡ１断面、Ａ２断面およびＡ３断面に示すように、袖部接合部１１４が前身頃側へ９０°以内および後身頃側へ９０°以内（特に好ましくは前身頃側へ６０°以内および後身頃側へ６０°以内）に存在する。
【００３４】
図９（Ｂ）に示すアンダーシャツ１０は袖部接合部１１４が曲線の構成を備えるものの、袖部１２の全長に亘って、図９（Ｂ）のＢ１断面、Ｂ２断面およびＢ３断面に示すように、袖部接合部１１４が前身頃側へ９０°以内および後身頃側へ９０°以内（特に好ましくは前身頃側へ６０°以内および後身頃側へ６０°以内）に存在する。
このように袖部接合部１１４が直線であっても曲線であっても、アンダーシャツ１０の筒状の袖部１２において袖部接合部１１４が筒状の断面における上半分側に存在する特徴を備える。
【００３５】
本実施の形態に係るアンダーシャツ１０は、筒状の袖部１２において袖部接合部１１４が筒状の断面における上半分側に存在するので、発汗時に摩擦が大きくなる前腕および／または上腕の屈部（伸部の反対側）に、袖部１２の袖部接合部１１４が存在しないために発汗時に摩擦が大きくなった部位をその袖部接合部１１４が刺激することがなくなり、肌における痒みの増大や患部の拡大等の症状悪化を抑制することができる。
【００３６】
以上のようにして、本実施の形態に係るアンダーシャツは、周縁処理が不要な伸縮性編地から構成され、少なくとも身頃部および袖部を備え、前身頃と後身頃とが肩部において接着剤により貼り合わせられ、袖部と身頃部とがアームホールにおいて接着剤により貼り合わせられ、縫製されていない。このように縫製部がなく表面摩擦が低減するので肌に滑らかで柔かく快適性に優れ、肌に直接触れても大きな摩擦が発生せず敏感肌における痒みの増大や患部の拡大等の症状悪化を抑制することができ、着心地が良く快適性に優れたものとなる。さらに、本実施の形態に係るアンダーシャツの筒状の袖部において袖部接合部が筒状の断面における上半分側に存在するので、発汗時に摩擦が大きくなった前腕および／または上腕の屈部をその袖部接合部が刺激することがなくなり、肌における痒みの増大や患部の拡大等の症状悪化を抑制することができる。
【００３７】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。たとえば、以下のような変更である。
本発明に係る肌着を構成する生地として、上述したように残留洗剤低減繊維製品を適用する点に加えて（または代えて）、薬剤（特にアトピー性皮膚炎に対する塗り薬であるワセリン）の残留量が少ない生地、および／または、高吸水性の生地を適用する変更が考えられる。
【００３８】
より詳しくは、この生地は、塗り薬（ワセリン）を塗布した模擬皮膚に生地を付着させてその生地を洗濯することを１０回繰り返した後に、以下の特性を備える生地である。
薬剤残留量については、１０回洗濯後であっても、従来製品（綿１００％）が２５％程度は薬剤が残留するのに対して１７％程度しか薬剤が残留しない、少なくとも２〜４割向上する生地である。
【００３９】
吸水性（バイレック法）については、洗濯試験前と１０回洗濯後とを比較して、従来製品（綿１００％）５５ｍｍから２５ｍｍまで５５％程度は低下するのに対して、９３ｍｍから９０ｍｍまで４％〜５％程度しか低下しない生地である。
このように変更された本発明に係る肌着は、薬剤の残留が少なく（１０回洗濯後であっても従来製品（綿１００％）の約２／３しか残留しない）、新品時から吸水性が高く（バイレック法で９３ｍｍ程度）、かつ、残留薬剤が蓄積しにくいので吸水性が下がらず（１０回洗濯後であってもバイレック法で４％〜５％程度しか低下しない）、塗り薬を継続的に使用しても汗を良く吸い続けることができる点で、アトピー性皮膚炎に代表される敏感肌に好適である。
【産業上の利用可能性】
【００４０】
本発明は、少なくとも身頃部および袖部を備えた肌着に好適であって、アトピー性皮膚炎に代表される敏感肌に特に好適である。
【符号の説明】
【００４１】
１０  アンダーシャツ
１１  身頃部
１１Ｂ  後身頃
１１Ｆ  前身頃
１１Ｓ  脇線
１２  袖部
１２Ｃ  袖谷曲線
１２Ｄ  袖谷点
１２Ｅ  袖口線
１２Ｌ  左袖部
１２Ｒ  右袖部
１２Ｓ  脇対応線
１１０  アームホール接合部
１１２  肩部接合部
１１４  袖部接合部
【図１】
0006336892.tif 000002
【図２】
0006336892.tif 000003
【図３】
0006336892.tif 000004
【図４】
0006336892.tif 000005
【図５】
0006336892.tif 000006
【図６】
0006336892.tif 000007
【図７】
0006336892.tif 000008
【図８】
0006336892.tif 000009
【図９】
0006336892.tif 000010